(57)【特許請求の範囲】
【請求項１】
４チャネル断面を有し、該４チャネル断面が溝を有するスカラップドオーバル形状をさらに含むポリ（トリメチレンテレフタレート）ステープルファイバであって、前記ポリトリメチレンテレフタレートステープルファイバが、０．２〜６インチ（０．５〜１５ｃｍ）の長さおよび３．０〜６．５ｇ／デニールのテナシティを有する、０．８〜３ｄｐｆの単成分ポリ（トリメチレンテレフタレート）ステープルファイバであることを特徴とするステープルファイバ。
【請求項２】
繊維が、
（ａ）ポリトリメチレンテレフタレートを提供すること、
（ｂ）溶融されたポリトリメチレンテレフタレートを２４５〜２８５℃の温度でフィラメントに溶融紡糸すること、
（ｃ）フィラメントを急冷すること、
（ｄ）急冷されたフィラメントを延伸すること、
（ｅ）機械クリンパを用いて延伸されたフィラメントを捲縮すること、
（ｆ）捲縮されたフィラメントを５０〜１２０℃の温度で弛緩させること、および
（ｇ）弛緩されたフィラメントを０．２〜６インチ（０．５〜１５ｃｍ）の長さおよび４チャネル断面を有するステープルファイバに切断することを含む方法により製造されることを特徴とする請求項１に記載のステープルファイバ。
【請求項３】
弛緩が５５℃以上で実施されることを特徴とする請求項２に記載のステープルファイバ。
【請求項４】
弛緩が６０℃以上で実施されることを特徴とする請求項３に記載のステープルファイバ。
【請求項５】
弛緩が１０５℃までで実施されることを特徴とする請求項２から４のいずれか１項に記載のステープルファイバ。
【請求項６】
弛緩が１００℃未満で実施されることを特徴とする請求項５に記載のステープルファイバ。
【請求項７】
弛緩が８０℃未満で実施されることを特徴とする請求項５に記載のステープルファイバ。
【請求項８】
（ａ）ポリトリメチレンテレフタレートを提供すること、
（ｂ）溶融されたポリトリメチレンテレフタレートを２４５〜２８５℃の温度でフィラメントに溶融紡糸すること、
（ｃ）フィラメントを急冷すること、
（ｄ）急冷されたフィラメントを延伸すること、
（ｅ）機械クリンパを用いて延伸されたフィラメントを捲縮すること、
（ｆ）捲縮されたフィラメントを５０〜１２０℃の温度で弛緩させること、および
（ｇ）弛緩されたフィラメントを０．２〜６インチ（０．５〜１５ｃｍ）の長さおよび４チャネル断面を有するステープルファイバに切断することを含むこと
を特徴とする請求項１から７のいずれか１項に記載のポリトリメチレンテレフタレートステープルファイバを製造する方法。
【請求項９】
弛緩が５５℃〜１０５℃で実施されることを特徴とする請求項８に記載の方法。
【請求項１０】
弛緩が１００℃未満で実施されることを特徴とする請求項８に記載の方法。
【請求項１１】
弛緩が８０℃未満で実施されることを特徴とする請求項８に記載の方法。
【請求項１２】
弛緩が、フィラメントを５０〜２００ヤード／分（４６〜１８３メートル／分）の速度で６〜２０分間オーブンに通すことを含むことを特徴とする請求項８に記載の方法。
【請求項１３】
延伸されたフィラメントを、延伸の後、且つ捲縮の前にアニールすることをさらに含むことを特徴とする請求項８から１２のいずれか１項に記載の方法。
【請求項１４】
アニールが、延伸されたフィラメントを、８５℃から１１５℃の温度で加熱することを含むことを特徴とする請求項１３に記載の方法。
【請求項１５】
延伸されたフィラメントを、延伸の後、且つ捲縮の前にアニールすることなく実施されることを特徴とする請求項８に記載の方法。
【請求項１６】
ステープルファイバからヤーンを調製することを更に含み、ステープルファイバが０．８〜３ｄｐｆのステープルファイバであることを特徴とする請求項８に記載の方法。
【請求項１７】
ヤーンから織布または編生地を調製することを更に含む請求項１６に記載の方法。
【請求項１８】
織布または編生地が少なくとも３００％の染料取り込み量によって特徴付けられる請求項１７に記載の方法。
【請求項１９】
織布または編生地が５分後の少なくとも２インチ（５．１ｃｍ）の吸い上げ高さによって特徴付けられる請求項１７または１８に記載の方法。
【請求項２０】
織布または編生地が１０分後の少なくとも４インチ（１０．２ｃｍ）の吸い上げ高さによって特徴付けられる請求項１９に記載の方法。
【請求項２１】
ステープルファイバから不織布を調製することを更に含み、ステープルファイバが１．５〜６ｄｐｆのステープルファイバであることを特徴とする請求項８に記載の方法。
【請求項２２】
ステープルファイバからファイバーフィルウェブまたはバットを調製することを更に含む請求項８に記載の方法。
【請求項２３】
ステープルファイバが、溝を有するスカラップドオーバル形状を含む４チャネル断面を有する、０．８〜１５ｄｐｆのステープルファイバであることを特徴とする請求項８に記載の方法。
【請求項２４】
ステープルファイバが、８〜３０捲縮／インチの捲縮レベルおよび０．５〜３インチ（１．３〜７．６ｃｍ）の長さを有し、少なくとも８５重量％のポリトリメチレンテレフタレートポリマーを含有する、０．８〜３ｄｐｆのポリ（トリメチレンテレフタレート）ステープルファイバであることを特徴とする請求項８に記載の方法。
【請求項２５】
延伸が１．２５〜２．５の延伸比であり、ステープルファイバが、１〜２．５ｄｐｆであり、３．０〜６．５ｇ／デニールのテナシティを有することを特徴とする請求項２４に記載の方法。
【請求項２６】
請求項８に記載の方法であって、４チャンネル断面が、溝を有するスカラップドオーバル形状を更に含み；弛緩が、５５℃〜１００℃未満で行われ、且つフィラメントを５０〜２００ヤード／分（４６〜１８３メートル／分）の速度で６〜２０分間オーブンに通すことを含み；延伸が１．２５〜４の延伸比であり；前記方法が、延伸されたフィラメントを８５℃から１１５℃の温度で加熱することによって、延伸の後且つ捲縮の前に該延伸されたフィラメントをアニールすることを更に含み；ステープルファイバが８〜３０捲縮／インチの捲縮レベル、０．５〜３インチの長さ及び３．５ｇ／デニール以上のテナシティを有し、少なくとも８５重量％のポリトリメチレンテレフタレートポリマーを含有する、０．８〜３ｄｐｆのポリ（トリメチレンテレフタレート）ステープルファイバであることを特徴とする方法。
【請求項２７】
請求項１から７のいずれかに記載のポリ（トリメチレンテレフタレート）繊維から製造されることを特徴とするヤーン。
【請求項２８】
請求項２７に記載のヤーンから製造されるファブリックであって、５分後に少なくとも２インチ（５ｃｍ）の吸い上げ高さを更に有することを特徴とするファブリック。
【請求項２９】
少なくとも３００％の染料取り込み量により特徴付けられる請求項２８に記載のファブリック。
【請求項３０】
１０分後の、少なくとも４インチ（１０．２ｃｍ）の吸い上げ高さにより特徴付けられる請求項２８または２９に記載のファブリック。
【請求項３１】
３０分後の、少なくとも５インチ（１２．７ｃｍ）の吸い上げ高さにより特徴付けられる請求項２８から３０のいずれか１項に記載のファブリック。
【請求項３２】
長さが０．５〜３インチであることを特徴とする請求項２８から３１のいずれか１項に記載のファブリック。
【請求項３３】
テナシティが３．０〜５ｇ／デニールであることを特徴とする請求項２８〜３１のいずれか１項に記載のファブリック。
【請求項３４】
テナシティが３．５〜６．５ｇ／デニールであることを特徴とする請求項２８〜３１のいずれか１項に記載のファブリック。
【請求項３５】
ステープルファイバが１〜２．５ｄｐｆであることを特徴とする請求項２８〜３１のいずれか１項に記載のファブリック。
【請求項３６】
ステープルファイバが１〜２．５ｄｐｆであり、長さが０．５〜３インチ（１．３〜７．６ｃｍ）であることを特徴とする請求項２９に記載のファブリック。
【請求項３７】
ステープルファイバが１．２〜２ｄｐｆであることを特徴とする請求項３２に記載のファブリック。
【請求項３８】
ステープルファイバが少なくとも８５重量％のポリトリメチレンテレフタレートポリマーを含有することを特徴とする請求項２８に記載のファブリック。
【請求項３９】
ステープルファイバが少なくとも９０重量％のポリトリメチレンテレフタレートポリマーを含有することを特徴とする請求項２８に記載のファブリック。
【請求項４０】
ステープルファイバが少なくとも８５重量％のポリトリメチレンテレフタレートポリマーを含有し、ステープルファイバが１〜２．５ｄｐｆであり、長さが０．５〜３インチ（１．３〜７．６ｃｍ）であることを特徴とする請求項２９に記載のファブリック。
【請求項４１】
編生地であることを特徴とする請求項２８〜３９のいずれか１項に記載のファブリック。
【請求項４２】
織布であることを特徴とする請求項２８〜３９のいずれか１項に記載のファブリック。
【請求項４３】
請求項１から７のいずれかに記載の繊維を含むことを特徴とするファイバーフィルウェブまたはバット。
【発明の詳細な説明】
【０００１】
（関連出願）
本出願は２０００年９月１２日に出願された米国仮特許出願第６０／２３１，８５１号からの優先権を主張し、これを参照により本明細書に組み込む。
【０００２】
（発明の分野）
本発明は４チャネル（ｔｅｔｒａｃｈａｎｎｅｌ）断面のステープルファイバ、ならびにそれにより製造されたヤーン、ファブリックおよびファイバーフィル、およびそのようなステープルファイバを製造する方法に関する。
【０００３】
（発明の背景）
ポリエチレンテレフタレート（「２ＧＴ」）およびポリブチレンテレフタレート（「４ＧＴ」）は、一般に「ポリアルキレンテレフタレート」と呼ばれ、一般的な市販のポリエステルである。ポリアルキレンテレフタレートは優れた物理的および化学的特性、特に化学的、熱および光安定性、高い融点および高い強度をもつ。その結果、それらは、ステープルファイバおよびそのようなステープルファイバを含むファイバーフィルを含めた、樹脂、フィルムおよび繊維として広く使われている。
【０００４】
２ＧＴから製造された繊維は織物産業でよく知られている。さらに、２ＧＴポリマーの特性と加工パラメータはよく知られている。このような合成繊維は通常２つのグループ、すなわち（１）連続フィラメントおよび（２）しばしば「ステープルファイバ」または「カット繊維」と呼ばれる不連続繊維に分類される。２ＧＴステープルファイバから製造される一般的な最終使用製品にはヤーン、ファブリックおよびファイバーフィルが含まれる。
【０００５】
２ＧＴステープルファイバは、ある特定の特徴のためにこのような最終使用製品に望ましい。例えば、２ＧＴからのステープルファイバから得たファブリックおよびヤーンは、米国特許第５，７３６，２４３号においてＡｎｅｊａにより開示されるように、下流の加工に望ましい特徴を有するヤーンを生じるということが知られている。例えば、このような繊維はウーステッドシステムで加工するのに適している。さらに、このような繊維から製造されたヤーンは水の吸い上げ（ｍｏｉｓｔｕｒｅ  ｗｉｃｋｉｎｇ）性能に優れた軽量ファブリックを製造するのに有用である。この水の吸い上げは、ファブリックが水分を着用者から除去し続ける助けとなるので、多くの種類の衣類、例えば運動用の衣料品で用いるファブリックに望ましい。同様に、軽量ファブリックは、それらがより重いファブリックより扱いにくくないので望ましい。
【０００６】
ある２ＧＴステープルファイバは、特殊な形状特性のためにこのような最終使用製品によりいっそう望ましい。例えば、米国特許第５，７３６，２４３号は４チャネル断面、より詳細にはフィラメント長手方向に沿って延びる溝をもつスカラップドオーバル（ｓｃａｌｌｏｐｅｄ  ｏｖａｌ）断面を有する２ＧＴステープルファイバのファブリックおよびヤーンを開示する。このような繊維で製造されたヤーンは水吸い上げ性能に優れた軽量ファブリックを製造するのに特に有用である。
【０００７】
最近、ポリマー骨格モノマー成分の１つである１，３−プロパンジオール（ＰＤＯ）への低コストなルートの最近の開発により、ポリプロピレンテレフタレートとも呼ばれるポリメチレンテレフタレート（３ＧＴ）が繊維として商業的関心を高めている。３ＧＴは、その定圧での分散染色性、小さな曲げ係数、弾性回復およびレジリエンスのために、繊維の形態において、長い間望ましいものとなっている。しかし、高強度、高弾性のヤーンに適した３ＧＴステープルファイバの製造にはいくつかの特別の問題、特に満足できる繊維の捲縮とヤーンの強度を得ることにおける問題がある。２ＧＴまたは４ＧＴ繊維に対して長年にわたり発展させられてきたこれらの問題の解決策は、３ＧＴの独特な特性のために３ＧＴ繊維には適用できないことが多い。
【０００８】
ＪＰ  １１−１８９９３８は、３ＧＴ短繊維（３〜２００ｍｍ）の作製を教示し、１００〜１６０℃、０．０１〜９０分間の湿潤熱処理ステップ、または１００〜３００℃、０．０１〜２０分間の乾式熱処理ステップを記述している。実施例１において、３ＧＴを、ヤーンの紡糸の巻挙げ速度１８００ｍ／分で２６０℃で紡糸する。延伸後、繊維に液浴で１５０℃、５分間の一定長さの熱処理を加える。次いで、繊維を捲縮し、切断する。実施例２では、延伸された繊維に２００℃、３分間乾式熱処理を加える。
【０００９】
ＪＰ１１−１０７０８１は、３ＧＴマルチフィラメントヤーンの未延伸繊維を１５０℃未満の温度、好ましくは１１０〜１５０℃で、０．２〜０．８秒間、好ましくは０．３〜０．６秒間弛緩させ、その後このマルチフィラメントヤーンを仮撚することを記載している。この文書はテナシティの大きい捲縮３ＧＴステープルファイバの製造方法を教示していない。
【００１０】
米国特許第３，５８４，１０３号は、非対称複屈折を有する３ＧＴフィラメントを溶融紡糸する方法を記載している。３ＧＴのらせん状に捲縮された織物繊維が、フィラメントを溶融紡糸してそれらの直径方向に非対称複屈折を持たせること、このフィラメントを延伸してそれらの分子を配向させること、延伸されたフィラメントを一定の長さに保持しながら１００〜１９０℃でアニールすること、およびアニールされたフィラメントを４５℃より高い弛緩条件、好ましくは約１４０℃の弛緩条件で２〜１０分間加熱して捲縮を発現させることによって製造される。実施例はいずれも１４０℃で繊維が弛緩することを示している。
【００１１】
ＥＰ１０１６７４１は、改良された白色度、溶融安定性および紡糸安定性を得るために、リン添加剤、および特定の３ＧＴポリマーの品質制約剤を使用することを記載している。紡糸および延伸後に調製されたフィラメントおよび短繊維は、９０〜２００℃で熱処理されるが、捲縮と弛緩を行わない。これは、繊維の断面形状が特に制限されておらず、丸型、３葉型、偏平、星型、Ｗ型などであってよく、中実または中空のいずれでもよいことを述べている（８ページ、１８行）。同一出願人に対するＷＯ  ０１／１６４１３は、凸上に改変された３葉型断面で押し出された３ＧＴ繊維に対する特別な利点を主張する。
【００１２】
前記のすべての文献は参照によりそれらの全体が本明細書に組み込まれる。
【００１３】
引用されたどの文献も４チャネルの３ＧＴステープルファイバの製造方法を教示しないし、このような３ＧＴ繊維の特別な利点を教示していない。
【００１４】
（発明の概要）
本発明は４チャネルの断面を有するポリ（トリメチレンテレフタレート）ステープルファイバを含む。４チャネルの断面は、好ましくは溝のあるスカラップドオーバル形状を含む。
【００１５】
このポリ（トリメチレンテレフタレート）繊維のテナシティは、好ましくは３グラム／デニール（２．６５ｃＮ／ｄｔｅｘ）以上である。ポリ（トリメチレンテレフタレート）繊維の捲縮テークアップ（ｃｒｉｍｐ  ｔａｋｅ  ｕｐ）は、好ましくは１０％から６０％である。
【００１６】
好ましくは上記ポリ（トリメチレンテレフタレート）繊維は、ポリ（トリメチレンテレフタレート）ポリマーを溶融すること、２４５℃から２８５℃の温度で溶融物を紡糸すること、繊維を急冷すること、繊維を延伸すること、機械クリンパを用いて繊維を捲縮すること、５０℃から１２０℃の温度で捲縮された繊維を弛緩すること、および、次いで約０．２から６インチ（約０．５から１５ｃｍ）の長さに該繊維を切断することを含む方法により製造される。
【００１７】
前記方法からのステープルファイバは１０〜６０％の捲縮テークアップおよび少なくとも３グラム／デニール（２．６５ｃＮ／ｄｔｅｘ）のテナシティを有する。
【００１８】
本発明はまた、本発明のステープルファイバと、綿、２ＧＴ、ナイロン、リヨセル、アクリル性、ポリブチレンテレフタレート（４ＧＴ）および他の繊維とのブレンドにも向けられる。
【００１９】
本発明はまた、４チャネル断面を有するポリ（トリメチレンテレフタレート）ステープルファイバから製造されるヤーンに向けられる。本発明はさらにこのようなヤーンから製造されたファブリックに向けられる。このファブリックは、好ましくは少なくとも３００％の染料取り込み量をもつ。
【００２０】
本発明はまた、このような繊維およびこのようなブレンドから製造された不織布、織布、編生地に向けられる。本発明はさらに、このようなブレンドから製造されたヤーン、およびそれから製造された編生地、ならびにこのようなブレンドから製造されたファイバーフィルに向けられる。
【００２１】
本発明はさらに、優れた吸い上げおよび／またはピリング性能をもつ繊維、ヤーンおよびファブリック、特に編生地に向けられる。好ましいファブリック、好ましくは編生地の吸い上げ高さは、好ましくは５分後に少なくとも２インチ（５ｃｍ）、好ましくは１０分後に少なくとも４インチ（１０ｃｍ）、好ましくは３０分後に少なくとも５インチ（１３ｃｍ）である。好ましい繊維はふわっとした毛玉（固い毛玉と対照的に）を有し、これは結果として毛玉として感じられにくいので好ましいと見なされる。
【００２２】
本発明はまたステープルファイバを含むファイバーフィルウェブまたはバット、さらにファイバーフィル製品に向けられる。
【００２３】
本発明はさらに、ポリ（トリメチレンテレフタレート）ヤーン、ファイバーフィルウェブ、バットおよび製品、並びに、ファブリックを製造する方法に向けられれる。
【００２４】
（発明の詳細な説明）
本発明において有用なポリトリメチレンテレフタレートを、米国特許第５，０１５，７８９号、第５，２７６，２０１号、第５，２８４，９７９号、第５，３３４，７７８号、第５，３６４，９８４号、第５，３６４，９８７号、第５，３９１，２６３号、第５，４３４，２３９号、第５，５１０４５４号、第５，５０４，１２２号、第５，５３２，３３３号、第５，５３２，４０４号、第５，５４０，８６８号、第５，６３３，０１８号、第５，６３３，３６２号、第５，６７７，４１５号、第５，６８６，２７６号、第５，７１０，３１５号、第５，７１４，２６２号、第５，７３０，９１３号、第５，７６３，１０４号、第５，７７４，０７４号、第５，７８６，４４３号、第５，８１１，４９６号、第５，８２１，０９２号、第５，８３０，９８２号、第５，８４０，９５７号、第５，８５６，４２３号、第５，９６２，７４５号、第５，９９０２６５号、第６，１４０，５４３号、第６，２４５，８４４号、第６，２７７，２８９号、第６，２８１，３２５号、第６，２５５，４４２号および第６，０６６，７１４号、ＥＰ９９８４４０、ＷＯ  ０１／０９０７３、０１／０９０６９、０１／３４６９３、００／１４０４１、００／５８３９３、０１／１４４５０および９８／５７９１３、Ｈ．Ｌ．Ｔｒａｕｂ、「Ｓｙｎｔｈｅｓｅ  ｕｎｄ  ｔｅｘｔｉｌｃｈｅｍｉｓｃｈｅ  Ｅｉｇｅｎｓｃｈａｆｔｅｎ  ｄｅｓ  Ｐｏｌｙ−Ｔｒｉｍｅｔｈｙｌｅｎｅｔｅｒｅｐｈｔｈａｌａｔｓ」、Ｄｉｓｓｅｒｔａｔｉｏｎ  Ｕｎｉｖｅｒｓｉｔａｔ  Ｓｔｕｔｔｇａｒｔ（１９９４）、およびＳ．Ｓｃｈａｕｈｏｆｆ、「Ｎｅｗ  Ｄｅｖｅｌｏｐｍｅｎｔｓ  ｉｎ  ｔｈｅ  Ｐｒｏｄｕｃｔｉｏｎ  ｏｆ  Ｐｏｌｙｔｒｉｍｅｔｈｙｌｅｎｅ  Ｔｅｒｅｐｈｔｈａｌａｔｅ（ＰＴＴ）」、Ｍａｎ−Ｍａｄｅ  Ｆｉｂｅｒ  Ｙｅａｒ  Ｂｏｏｋ（Ｓｅｐｔｅｍｂｅｒ、１９９６）、中に記載されるような、知られている製造技術（バッチ式、連続式など）によって生産できる。これら文献のすべてを参照により本明細書に組み込む。本発明のポリエステルとして有用なポリトリメチレンテレフタレートはイー・アイ・デュポン・ドゥ・ヌムール・アンド・カンパニー（Ｗｉｌｍｉｇｔｏｎ、Ｄｅｌａｗａｒｅ）から、商標「Ｓｏｒｏｎａ」として市販されている。
【００２５】
好ましくは、繊維（ポリトリメチレンテレフタレート）の相対粘度（ＬＲＶ）は少なくとも３４であり、６０以上の大きさでありうる。
【００２６】
本発明に適するポリトリメチレンテレフタレートの固有粘度は０．６０デシリットル／グラム（ｄｌ／ｇ）以上、好ましくは少なくとも０．７０ｄｌ／ｇ、より好ましくは少なくとも０．８０ｄｌ／ｇ、最も好ましくは少なくとも０．９０ｄｌ／ｇである。固有粘度は通常約１．５ｄｌ／ｇ以下、好ましくは１．４ｄｌ／ｇ以下、より好ましくは１．２ｄｌ／ｇ以下、最も好ましくは１．１ｄｌ／ｇ以下である。本発明を実施するのに特に有用なポリトリメチレンテレフタレートのホモポリマーは、約２２５〜２３１℃の融点を有する。
【００２７】
紡糸は、当技術分野でポリエステル繊維に関して記載された従来の技術および設備を用いて、本明細書に記載された好ましいアプローチで行うことができる。例えば、様々な紡糸方法が米国特許第３，８１６，４８６号および第４，６３９，３４７号、英国特許明細書第１２５４８２６号、およびＪＰ１１−１８９９３８に示されており、これらはすべて参照により本明細書に組み込まれる。
【００２８】
紡糸速度は、分あたり６００メートル以上であることが好ましく、典型的には分あたり２５００メートル以下である。紡糸温度は、一般に２４５℃以上２８５℃以下、好ましくは２７５℃以下である。最も好ましくは、紡糸は約２５５℃で行われる。
【００２９】
紡糸口金は４チャネルの断面を有する繊維を押し出すように設計されている。使用される好ましい紡糸口金は、Ｇｏｒｒａｆａの米国特許第３，９１４，４８８号の図１および米国特許第４，６３４，６２５号の図１に記載されるタイプであり、この２つの特許を参照により本明細書に組み込む。これらの紡糸口金で、溝付きスカラップドオーバル形状を含む４チャネル断面を有する繊維が提供される。しかし、押し出し後で、急冷および延伸前の、ポリマーの凝集と生じたポリマー流により、任意の押し出された繊維の形状は紡糸口金の形状と同一でなくなることがある。この流れは、元の紡糸口金形状に固有の利点を損なう傾向がある。驚くべきことに、本発明者は、３ＧＴの４チャネル繊維は、２ＧＴが有するよりも、遙かによく画定された形状を有していることを見出した。この特徴は、図４（２ＧＴを示す）と比較して、本発明の図１から３（３ＧＴを示す）に示されている。このよりよく画定された形状は４チャネル構造が示す利点を高める。
【００３０】
急冷を、空気または当分野で記載される他の流体（例えば、窒素）を用いて、通常の方法で実施することができる。十字流、放射または他の通常の技術を用いることができる。
【００３１】
標準技術による急冷後、従来の紡糸仕上げを施すことができる（例えば、キスロールを使用）。
【００３２】
溶融紡糸されたフィラメントは、トウカンに集められる。次いでいくつかのトウカンを一緒に置いて、このフィラメントから大きいトウを形成する。この後、従来の技術を用い、好ましくは約５０〜約１２０ヤード／分（約４６〜約１１０ｍ／分）で、フィラメントを延伸する。延伸比は、約１．２５〜約４が好ましく、１．２５〜２．５がより好ましく、最も好ましくは少なくとも１．４であり、好ましくは１．６までである。延伸は、２段延伸方法を使用して実施することが好ましい（例えば、参照により本明細書に組み入れられている、米国特許第３，８１６，４８６号を参照されたい）。
【００３３】
仕上げ剤が通常の技術を用いて延伸中に施される。
【００３４】
好ましい一実施形態によれば、繊維は延伸後で、捲縮および弛緩を行う前にアニールされる。「アニール」とは、延伸された繊維が張力をかけられたままで加熱されるということを意味する。アニールは、少なくとも約８５℃で、好ましくは約１１５℃以下で実施されることが好ましい。最も好ましくは、アニールは１００℃で実施される。アニールは、好ましくは加熱ローラを用いて実施される。アニールはまた、参照により本明細書に組み込む米国特許第４，７０４，３２９号に従って飽和蒸気を用いて実施することもできる。第２の選択肢によれば、アニールは実施されない。好ましくは、アニールはファイバーフィルを製造する場合には省略される。
【００３５】
従来の機械捲縮技術を用いることができる。好ましいのは、スタッファボックスのような蒸気の助けによる機械的ステープルクリンパである。
【００３６】
仕上げは、クリンパで従来の技術を用いて施すことができる。
【００３７】
捲縮レベルは、典型的には８捲縮／インチ（ｃｐｉ））（３捲縮／ｃｍ（ｃｐｃ）以上、好ましくは１０ｃｐｉ（３．９ｃｐｃ）以上、最も好ましくは、１４ｃｐｉ（５．５ｃｐｃ）以上であり、典型的には３０ｃｐｉ（１１．８ｃｐｃ）以下、好ましくは２５ｃｐｉ（９．８ｃｐｃ）以下、より好ましくは２０ｃｐｉ（７．９ｃｐｃ）以下である。得られる捲縮テークアップは繊維の特性の関数であり、好ましくは１０％以上、より好ましくは１５％以上、最も好ましくは２０％以上であり、好ましくは４０％まで、より好ましくは６０％までである。
【００３８】
ファイバーフィルを製造する場合、平滑剤は、捲縮の後であるが、弛緩の前に塗布するのが好ましい。本発明において有用な平滑剤は、参照により本明細書に組み入れられている、米国特許第４，７２５，６３５号により記述される。
【００３９】
最大の捲縮テークアップを得るために、より低い弛緩温度を用いることができる。「弛緩」は、フィラメントが自由に収縮できるような束縛のない条件でフィラメントを加熱することを意味する。弛緩は、捲縮の後で切断の前に実施される。典型的には、弛緩は収縮を除去し、繊維を乾燥させるために実施される。典型的な弛緩装置では、コンベアベルト上に繊維を載せ、オーブンを通過させる。本発明に有用な弛緩温度の最小値は４０℃である。これは、より低い温度では十分な量の時間内に繊維を乾燥できないためである。好ましくは、弛緩温度は１３０℃未満、好ましくは１２０℃以下、より好ましくは１０５℃以下、より一層好ましくは１００℃以下、さらにより好ましくは１００℃未満、最も好ましくは８０℃未満である。好ましくは、弛緩温度は５５℃以上、より好ましくは５５℃を超え、より好ましくは６０℃以上、最も好ましくは６０℃を超えるものである。好ましくは、弛緩時間は約６０分を超えず、より好ましくは２５分以下である。弛緩時間は、繊維を乾燥し、繊維を所望の弛緩温度に到達させるために、十分に長くなければならない。その温度は、トウデニールのサイズによって決まり、少量（例えば、１，０００デニール（１，１００ｄｔｅｘ））を弛緩する場合、数秒となり得る。商業的な設定値では、時間は１分程度の短さである可能性がある。フィラメントが、５０〜２００ヤード／分（４６〜約１８３メートル／分）の速度で６〜２０分間、または繊維を弛緩し、乾燥するのに適した他の速度でオーブンを通過するのが好ましい。
【００４０】
フィラメントは、ピドラーカン（ｐｉｄｄｌｅｒ  ｃａｎ）に集められ、その後切断およびベール包装を行うことが好ましい。本発明のステープルファイバは、弛緩の後に機械カッターによって切断することが好ましい。繊維は、好ましくは約０．２〜約６インチ（約０．５〜約１５ｃｍ）、さらに好ましくは約０．５〜約３インチ（約１．３〜約７．６ｃｍ）、最も好ましくは約１．５インチ（３．８１ｃｍ）である。異なる最終用途には、異なるステープル長が好ましいであろう。
【００４１】
ステープルファイバは、繊維の損傷のない高速紡糸およびカーディング設備での加工が可能なように、３．０グラム／デニール（ｇ／ｄ）（２．６５ｃＮ／ｄｔｅｘ（ｃＮ／ｄｔｅｘへの変換は、工業標準技術であるｇ／ｄ値に０．８８３を掛けることを用いて行った。））以上、好ましくは３．０ｇ／ｄ（２．６５ｃＮ／ｄｔｅｘ）より大きいテナシティを有する。延伸および弛緩を行い、アニーリングは行わずに調製されたステープルファイバは、テナシティが、３．０ｇ／ｄ（２．６５ｃＮ／ｄｔｅｘ）より大きく、好ましくは３．１ｇ／ｄ（２．７４ｃＮ／ｄｔｅｘ）以上である。延伸、弛緩、およびアニーリングによって調製されたステープルファイバは、テナシティが、３．５ｇ／ｄ（３．１ｃＮ／ｄｔｅｘ）より大きく、好ましくは３．６ｇ／ｄ（３．２ｃＮ／ｄｔｅｘ）以上、さらに好ましくは３．７５ｇ／ｄ（３．３ｃＮ／ｄｔｅｘ）以上、さらに好ましくは３．９ｇ／ｄ（３．４４ｃＮ／ｄｔｅｘ）以上、最も好ましくは４．０ｇ／ｄ（３．５３ｃＮ／ｄｔｅｘ）以上である。６．５ｇ／ｄ（５．７４ｃＮ／ｄｔｅｘ）以上までのテナシティを本発明の方法によって調製することができる。幾つかの最終用途では、５ｇ／ｄ（４．４ｃＮ／ｄｔｅｘ）までの、好ましくは４．６ｇ／ｄ（４．１ｃＮ／ｄｔｅｘ）のテナシティが好ましい。テナシティが高いと、織物表面で過剰な繊維のピリングが起こる可能性がある。最も注目すべきことは、これらのテナシティは、５５％以下、および通常２０％以上の伸び（破断するまでの伸び）で達成できることである。
【００４２】
この繊維は、好ましくは少なくとも８５重量％、さらに好ましくは９０重量％、さらに好ましくは少なくとも９５重量％のポリトリメチレンテレフタレートポリマーを含有する。最も好ましいポリマーは、実質的にすべてのポリトリメチレンテレフタレートポリマーと、ポリトリメチレンテレフタレート繊維に用いられる添加剤を含有する。このような添加剤には、抗酸化剤、安定剤（例えばＵＶ安定剤）、つや消し剤（例えば、ＴｉＯ2、硫化亜鉛または酸化亜鉛）、顔料（例えばＴｉＯ2など）、難燃剤、静電防止剤、染料、フィラー（炭酸カルシウムなど）、抗菌剤、帯電防止剤、光学的な光沢剤、増量剤、加工助剤、および製造プロセスまたはポリトリメチレンテレフタレートの性能を高める他の化合物が含まれる。用いる場合は、ＴｉＯ2は、ポリマーまたは繊維重量の好ましくは少なくとも０．０１重量％、さらに好ましくは少なくとも約０．０２重量％の量で、かつ、好ましくは約５％重量％まで、さらに好ましくは約３重量％まで、最も好ましくは約２重量％までの量で添加する。曇りのあるポリマーは約２重量％を含有することが好ましく、なかば曇りのあるポリマーは約０．３重量％を含有することが好ましい。
【００４３】
本発明に従って、衣料品（例えば編生地および織物）および不織布用に製造された繊維は、典型的には、フィラメントあたり少なくとも０．８デニール（ｄｐｆ）（０．８８デシテックス（ｄｔｅｘ））、好ましくは少なくとも１ｄｐｆ（１．１ｄｔｅｘ）、最も好ましくは少なくとも１．２ｄｐｆ（１．３ｄｔｅｘ）である。これらは、好ましくは３ｄｐｆ（３．３ｄｔｅｘ）以下、さらに好ましくは２．５ｄｐｆ（２．８ｄｔｅｘ）以下、最も好ましくは２ｄｐｆ（２．２ｄｔｅｘ）以下である。約１．４ｄｐｆ（約１．５ｄｔｅｘ）が最も好ましい。典型的には、不織布は、約１．５〜約６ｄｐｆ（約１．６５〜約６．６ｄｔｅｘ）のステープルファイバを用いる。６ｄｐｆ（６．６ｄｔｅｘ）までのより高いデニールの繊維を使用することができ、さらに高いデニールはファイバーフィルのような織物以外の用途に有用である。
【００４４】
ファイバーフィルは、約０．８〜約１５ｄｐｆ（約０．８８〜約１６．５ｄｔｅｘ）のステープルファイバを用いる。ファイバーフィル用に製造された繊維は、典型的には少なくとも３ｄｐｆ（３．３ｄｔｅｘ）、さらに好ましくは少なくとも６ｄｐｆ（６．６ｄｔｅｘ）である。これらは、典型的には、１５ｄｐｆ（１６．５ｄｔｅｘ）以下、さらに好ましくは９ｄｐｆ（９．９ｄｔｅｘ）以下である。
【００４５】
本発明の繊維は単成分繊維である。（したがって、２種の異なるタイプのポリマーまたは異なる特性を有する同じポリマー２種を各領域に有する鞘芯型繊維またはサイドバイサイド型繊維のような複合糸は明確に除外されるが、繊維に分散されている他のポリマーおよび存在する添加剤は除外しない。）これらは、中実、中空、または複数中空とすることができる。
【００４６】
本発明のステープルファイバは、好ましくは衣料品、不織布およびファイバーフィル、最も好ましくは編生地および織物などの衣料品をつくるのに用いられる。衣料品（例えば、ヤーン）および不織布を、ベール包装を開いて、ステープルファイバをカーディングし、次にこれらをブレンドすることにより製造することができる。より具体的には、不織布の製造においては、繊維は従来の技術（例えば、熱接着、ニードルパンチ法、スパンレース法など）を用いて結合される。編生地および織物の製造においては、やはり従来の技術を用いて、繊維はスライバ吸引され、ヤーンに紡糸される。次に、ヤーンはファブリックに編あげられるか、または織り上げられる。本発明の繊維を、綿、２ＧＴ、ナイロン、リヨセル、アクリル性、ポリブチレンテレフタレートのような他の種類の繊維とブレンドすることができる。さらに、それらを他の形状を有する３ＧＴ繊維とブレンドするか、または連続フィラメントを含めた他のタイプの繊維とブレンドすることができる。
【００４７】
本発明のステープルファイバは、ファイバフィルの用途に使用できる。好ましくは、ベール包装を開梱し、繊維を梳毛して−−ガーネッティングまたはカーディング−−、ウェブを形成し、ウェブをクロスラップしてバットを形成し（これにより、より高重量および／またはサイズが達成される）、ピロースタッファ、または他の充てん装置を使用して、このバットを最終製品に充てんする。ウェブ中の繊維はさらに、スプレー（樹脂）結合、熱結合（低溶融）、および超音波結合のような通常の結合技術を用い、一緒に結合することができる。低結合温度のステープルファイバ（例えば、低結合温度のポリエステル）を、任意選択的にこの繊維と混合して、結合を強化する。
【００４８】
特許請求される本発明により作製されるウェブは典型的には、約０．５〜約２オンス／ヤード2（約１７〜約６８ｇ／ｍ2）である。クロスラップされたバットは、約３０〜約１，０００ｇ／ｍ2の繊維を含むことができる。
【００４９】
本発明を使用して、以下のものに限定されないが、増加された繊維の柔軟性、耐破砕性、自己バルク化、優れた水分移送特性を含むめた、２ＧＴステープルファイバフィルよりも優れた特性を有するポリトリメチレンテレフタレートファイバフィルを調製することが可能である。
【００５０】
本発明により調製されるファイバフィルは、衣料品（例えば、ブラ用パッド）、まくら、家具、絶縁材、ふとん、フィルタ、自動車（例えば、クッション）、寝袋、マットレスパッド、およびマットレスを含む多くの用途に使用することができる。
【００５１】
（実施例）
以下の実施例は本発明の例示のために記載され、限定しようとするものではない。すべての部、パーセンテージなどは特に指定されなければ重量に基づくものである。
【００５２】
（測定および単位）
本明細書において考察する測定は、メートル法単位であるデニールを含む、従来の米国織物単位を使用して行った。他所における慣例的な実務と合致させるため、本明細書では米国単位を、対応するメートル法単位と共に報告している。例えば、デニールに対するｄｔｅｘでの等価な値は、実測値の後の括弧内に与えられている。
【００５３】
繊維の特性は以下に記載されるようにして測定された。
【００５４】
（相対粘度）
相対粘度（「ＬＲＶ」）は、ＨＦＩＰ溶媒（９８％試薬等級硫酸１００ｐｐｍを含有するヘキサフルオロイソプロパノール）中に溶解したポリマーの粘度である。粘度測定装置は、いくつかの商業的販売主（Ｄｅｓｉｇｎ  Ｓｃｉｅｎｔｉｆｉｃ、Ｃａｎｎｏｎなど）から入手可能な毛細管粘度計である。相対粘度はセンチストークスで、２５℃におけるＨＦＩＰ中のポリマーの４．７５重量％溶液について、２５℃における純粋なＨＦＩＰの粘度と比較して測定する。
【００５５】
（固有粘度）
固有粘度（ＩＶ）は、ＡＳＴＭ  Ｄ５２２５−９２に基づく自動化方法に従い、５０／５０重量％トリフルオロ酢酸／塩化メチレン中に０．４グラム／ｄＬの濃度で溶解したポリエステルについて、１９℃においてＶｉｓｃｏｔｅｋ  Ｆｏｒｃｅｄ  Ｆｌｏｗ  Ｖｉｓｃｏｍｅｔｅｒ  Ｙ９００（テキサス州、ヒューストンのＶｉｓｃｏｔｅｋ  Ｃｏｒｐｏｒａｔｉｏｎ）で測定した粘度を用いて決定した。
【００５６】
（吸い上げ）
実施例におけるファブリックの吸い上げ速度を、１インチ（２．５ｃｍ）幅の繊維片の下部１．８インチ（４．６ｃｍ）を脱イオン水に垂直に侵漬し、ファブリックに吸い上げられる水の高さを目視で決定し、そして時間の関数としてその高さを記録することにより測定した。
【００５７】
（捲縮テークアップ）
繊維のレジリエンスの、一つの目安が、捲縮テークアップ（「ＣＴＵ」）であり、これは、示された二次捲縮の周波数と振幅が、どれほど良好に繊維にセットされるかを測定する。捲縮テークアップは、伸張された繊維長に対する、捲縮された繊維長に関係し、したがって、捲縮振幅、捲縮周波数、および捲縮の変形に抵抗する能力によって影響される。捲縮テークアップは、下式から計算される：
【００５８】
ＣＴＵ（％）＝［１００（Ｌ1−Ｌ2）］／Ｌ1
【００５９】
上式において、Ｌ1は伸張した長さ（添加した荷重０．１３±０．０２グラム／デニール（０．１１５±０．０１８ｄＮ／ｔｅｘ）下に３０秒間、繊維が懸垂される）を表わし、Ｌ2は捲縮された長さ（第１の伸張に続いて、６０秒中止した後、荷重を加えることなく懸垂される同じ繊維の長さ）を表わす。
【００６０】
（実施例１）
この実施例は、ヤーンおよびファブリックなどの織物用途における本発明のステープルファイバの利点を例示する。この例では、図１に示される４チャネルの断面を有するポリ（トリメチレンテレフタレート）繊維を、紡糸ブロック温度２６５℃で通常の溶融押出機を用いてフレークから紡糸した。繊維を、１０５４個の穴を有する紡糸口金を用い、２０６６ｙｐｍ（１８８９ｍｐｍ）の紡糸速度で、約７０ｐｐｈ（３１．７５ｋｇ／ｈ）の割合で押し出しした。次に紡糸された繊維を、２組のパラメータを用いる通常のポリエステルステープルファイバ用延伸装置を用いて延伸し、以下に記載の延伸ヤーンＡおよびＢを得た。
【００６１】
（延伸ヤーンＡ）
ポリ（トリメチレンテレフタレート）繊維を、全延伸比１．８倍で、７５℃の液浴温度、約５０ｙｐｍ（４６ｍｐｍ）の延伸速度を用いて延伸した。
【００６２】
（延伸ヤーンＢ）
ポリ（トリメチレンテレフタレート）繊維を類似の方法で延伸したが、全延伸比が２．０倍で、液浴温度は８５℃、また延伸速度は約１００ｙｐｍ（９１ｍｐｍ）であった。
【００６３】
（捲縮繊維ＡおよびＢ）
次に延伸ヤーンＡおよびＢを、マニホールド圧力１５ｐｓｉｇ（１０３ｋＮ／ｍ2）で蒸気の助けをかりて、従来の方法で１２ｃｐｉ（３０ｃ／ｃｍ）に捲縮させた。次に繊維を、約８分間１００℃で本発明に従ってトウの形態で弛緩させた。次に繊維を、通常のステープルファイバ用切断機を用いて長さ１．５インチ（３．８１ｃｍ）のステープルファイバに切断した。これらの繊維の物理的特性が表１に示されている。
【００６４】
【表１】
0004832709.tif 000002
【００６５】
（スパンヤーンＡおよびＢ）
繊維ＡおよびＢを、従来のやり方でリング紡績法により３０シングル（すなわち、Ｎｅ３０）の商用番手スパンヤーンに変えた。（Ｎｅ３０は１ポンド（０．４５４ｋｇ）の重さになるのに必要とされる８４０ヤード（７６８メートル）の長さのヤーンの数を表す。）スパンヤーンＡおよびスパンヤーンＢの横断面を示す拡大写真がそれぞれ図２および図３に示されている。編生地をそれぞれのヤーンからつくり、織物産業において望まれる様々な特性を測定した。
【００６６】
（（比較）スパンヤーンＣ）
類似断面の市販２ＧＴ繊維の１．５インチ（３．８１ｃｍ）カットステープルファイバを、リング紡績法を用いてＮｅ３０スパンヤーンに紡糸した。これらのヤーン、スパンヤーンＣを対照試料として用いた。スパンヤーンＣの横断面を示す拡大写真が図４に示されている。
【００６７】
ヤーンＡ、ＢおよびＣを編生地にし、ピリングおよび吸い上げ性能を試験した。以下に記載のように、本発明のヤーンからつくられる編生地は従来の２ＧＴヤーンを用いて編まれたファブリックを越える程度の良好な性能を示すか、またはこれを越えるより良い性能を示す。
【００６８】
（ピリング性能）
スパンヤーンＡ、ＢおよびＣを、すべて従来の技術を用いて、編んでスリーブにし、次に染色して、ランダムタンブルピル試験（ＡＳＴＭ  Ｄ−３５１２（端部を糊付けしないという変更をした））を用いてピリング性能を調べた。編生地を沸騰染色および加圧染色の両方を用いて試験した。表３は試験されたそれぞれの編生地に対する結果を列挙する。第１の試験の結果は３つの時点（３０、６０および９０分）に対して示されている。記載された値は、５を最高、１を最低のピリング性能とする１から５の段階に基づいている。ヤーンＡからの編生地は、沸騰染色された場合、ヤーンＢおよびＣからの編生地のいずれよりも優れていた。しかし、ヤーンＢからの編生地は、圧力染色の場合、他の２つより優れていた。したがって、総体的に、ヤーンＡおよびＢの編生地はヤーンＣからの編生地より優れていた。
【００６９】
表３にはまた染料の取り込み量の試験結果が示されている。スパンヤーンＡおよびＢの編生地は３００％を優に超える染料取り込み量を示したが、スパンヤーンＣの編生地の染料取り込み量はたった１００％であった。
【００７０】
【表２】
0004832709.tif 000003
【００７１】
本発明のヤーンから製造されたファブリックについて注目された別の相違は、ＬＲＶが増加しているにもかかわらず、ピリング性能が予想外に改善されたことである。従来のヤーンは逆の効果を示す。すなわち２ＧＴポリマーに対するＬＲＶを減少すると、一般には、より良いピリング性能をもたらす。対照的に、スパンヤーンＡおよびＢを用いてつくられたファブリックに対するポリマーＬＲＶは、従来のヤーン、スパンヤーンＣでつくられたファブリックより５０％超大きいが、スパンヤーンＡおよびＢのピリング性能は２００％より良いピリング性能を有していた。
【００７２】
（吸い上げ性能）
次に編生地の水吸い上げ性能を評価した。これを、時間の関数として吸い上げの高さを測定することにより実現した。
【００７３】
【表３】
0004832709.tif 000004
【００７４】
表４に示されるように、スパンヤーンＡおよびＢの編生地は、スパンヤーンＣの編生地と比較して、優れた吸い上げ性能を示した。
【００７５】
（実施例２）
この実施例では、４チャネル断面を有するポリ（トリメチレンテレフタレート）繊維を、紡糸ブロック温度２６５℃で通常の溶融押出機を用いてフレークから紡糸した。繊維を、１０５４個の穴を有する紡糸口金を用い、実施例１と同様の紡糸速度で、約７０ｐｐｈ（３１．７５ｋｇ／ｈ）の割合で押しだしした。次に紡糸繊維を、従来のポリエステルステープルファイバ用延伸装置を用いて延伸し、以下に記載のヤーンを得た。
【００７６】
表５
延伸比  １．５
延伸液浴温度  ８５℃
弛緩温度＝１００℃（滞留時間８分）
ステープルｄｐｆ＝１．５（１．６５ｇ／ｄｔｅｘ）
クリンパ蒸気圧＝１４ｐｓｉｇ（９６ｋＮ／ｍ2）
モデュラス＝１６．５ｇ／デニール（１４．９ｇ／ｄｔｅｘ）
テナシティ  ３．１ｇ／デニール（２．７４ｃＮ／ｄｔｅｘ）
伸び＝６４．３％
捲縮テークアップ＝２６％
【００７７】
次に吸い上げ性能を測定し、結果を表６に示した。
【００７８】
【表４】
0004832709.tif 000005
【００７９】
この表は再度３ＧＴ４チャネルステープルファイバの優れた吸い上げ性能を示す。
【００８０】
（実施例３）
この実施例は、一連の加工条件で製造された、スカラップドオーバル断面を有するステープルファイバに対する本発明の好ましい実施形態を例示する。
【００８１】
固有粘度（ＩＶ＝１．０４）のポリトリメチレンテレフタレートを１７５℃に加熱された不活性ガスで乾燥して、次にスカラップドオーバル断面を付与するように設計された１０５４穴の紡糸口金を通して紡糸し、未延伸ステープルファイバ用トウとした。紡糸ブロックおよび移送路の温度を２５４℃に維持した。紡糸口金の出口で、スレッドラインを通常の十字流空気により急冷した。紡糸仕上げを急冷されたトウに施し、それを１５００ヤード／分（１３７０ｍ／分）で巻き取った。この段階で巻き取られた未延伸トウは、測定の結果、破断伸び１６５％で２．４４ｄｐｆ（２．６８ｄｔｅｘ）であり、テナシティが２．１３ｇ／デニール（１．８８ｃＮ／ｄｔｅｘ）であった。製造された前記トウを、一連の条件で延伸、任意にアニール、捲縮および弛緩した。これらは、本発明の好ましい実施形態の全実施例である。
【００８２】
実施例３Ａ：この実施例では２段階延伸−弛緩手順を用いてトウを加工する。トウ製品を最初と最後のロール間の全延伸比を１．９７に設定して２段階延伸プロセスにより延伸した。この２段階プロセスでは、全延伸の８０〜９０％を第１段階で室温で行い、次に１０〜２０％の延伸の残りを、９０〜１００℃に設定された大気圧の蒸気室に繊維を浸漬している間に行った。トウラインの張力を、トウが従来のスタッファボックスクリンパに供給されるように常に維持した。大気圧の蒸気を捲縮プロセスの間もトウバンドに当てた。捲縮の後、トウバンドを６０℃に加熱されたコンベアーオーブン中で、オーブン滞留時間６分で弛緩させた。得られたトウを、１．６８ｄｐｆ（１．８５ｔｅｘ）のステープルファイバに切断した。前記のように延伸比は１．９７に設定されたが、未延伸トウ（２．４４ｄｐｆ）から最終ステープルファイバ形態（１．６８ｄｐｆ）へのデニールの低下は、真のプロセス延伸比が１．４５であることを示唆する。この相違は、捲縮および弛緩ステップの間の繊維の収縮および弛緩に原因がある。ステープルファイバ材料の破断伸びは６８％であり、繊維のテナシティは３．３２ｇ／デニール（２．９３ｃＮ／ｄｔｅｘ）であった。繊維は１４捲縮／インチ（５．５捲縮／ｃｍ）で捲縮テークアップは２９％であった。
【００８３】
実施例３Ｂ：この実施例では、２段階延伸−アニール−弛緩手順を用いてトウを加工する。この実施例では繊維を、延伸の第２段階で大気圧蒸気を６５℃に加熱された水スプレーに代え、捲縮段階に入る前に一連の加熱ロール上において１０５℃で張力下でトウをアニールすること以外は、実施例３Ａと同様に加工する。得られたステープルファイバは、破断伸び６６％を有する１．６５ｄｐｆ（１．８２ｄｔｅｘ）であると測定され、繊維のテナシティは３．３４ｇ／デニール（２．９５ｃＮ／ｄｔｅｘ）であった。繊維の捲縮テークアップは、１３捲縮／インチ（５．１捲縮／ｃｍ）で３０％であった。
【００８４】
実施例３Ｃ：この実施例では、２段階延伸−アニール−弛緩手順でトウを加工する。この実施例では、最初と最後のロール間の全延伸比を２．４０に設定し、アニールロールを９５℃に加熱し、さらに弛緩用オーブンを７０℃に設定したこと以外は、実施例３Ｂと同様にして繊維を加工する。得られたステープルファイバは、破断伸び５６％を有する１．４７ｄｐｆ（１．６２ｄｔｅｘ）であると測定され、繊維のテナシティは３．９０ｇ／デニール（３．４４ｃＮ／ｄｔｅｘ）であった。繊維の捲縮テークアップは、１４捲縮／インチ（５．５捲縮／ｃｍ）で２８．５％であった。
【００８５】
実施例３Ｃの繊維のステープルファイバスパンヤーンへの変換
表７で、実施例３の繊維の物理的特性を、ポリエチレンテレフタレートで製造された市販のＤａｃｒｏｎ（登録商標）Ｔ−７２９Ｗスカラップドオーバル断面繊維（イー・アイ・デュポン・ドゥ・ヌムール・アンド・コンパニー、Ｗｉｌｍｉｎｇｔｏｎ、Ｄｅｌａｗａｒｅ）と比較する。
【００８６】
【表５】
0004832709.tif 000006
【００８７】
実施例３Ｃのステープルファイバを１．５インチ（３．８１ｃｍ）に切断し、従来のカーディング、延伸、粗紡、およびリング紡糸のプロセスによりステープルファイバスパンヤーン、すなわち公称綿番手２２／１（２４１．６デニール）のヤーンに加工する。製造されたヤーンはここに記載され、表８にまとめられている。
【００８８】
0004832709.tif 000007
【００８９】
引張り特性（破断伸び、破断強度、およびテナシティ）をＴｅｎｓｏｊｅｔ（Ｚｅｌｌｗｅｇｅｒ  Ｕｓｔｅｒ  Ｃｏｒｐ．）を用いて測定し、以下の表８に与えられるこれらの特性の各々は２５００回の測定の平均である。ヤーンＣＶ（ヤーンの長手方向に沿った平均質量変化率）をＵｎｉｆｏｒｍｉｔｙ  １−Ｂ試験機（Ｚｅｌｌｗｅｇｅｒ  Ｕｓｔｅｒ  Ｃｏｒｐ．）を用いて測定した。
【００９０】
【表６】
0004832709.tif 000008
【００９１】
驚くべきことに、本発明によって製造されたスパンヤーンは２ＧＴで製造されたヤーンを越える優れた伸びを有する。これは繊維の伸びの値（表７）とヤーン（表８）のそれを比較することにより示される。ステープルファイバだけの場合の伸びが２ＧＴ繊維の１０％以内である場合、本発明のステープルファイバから製造されたヤーンの伸びで５５％の増加が得られたことは、予想外である。
【００９２】
前記のスパンヤーンを編生地にし、実施例１と同様のやり方で毛玉耐性の試験をした。１の評価はひどいピリングに相当し、５は毛玉のできない表面に相当する。
【００９３】
【表７】
0004832709.tif 000009
【００９４】
驚くべき結果は、２ＧＴのＥに対する本発明のＪ品の向上したピリング性能である。さらに驚くべき関心事は、本発明のＪ品での、２０分のタンブリング時間に対する毛玉の評価に対して４０分のタンブリング時間でのその評価が上がっていることである。これは、本発明の繊維は、Ｅ品のような２ＧＴ繊維に典型的であるような、固く、および頑強に保たれた毛玉を形成する傾向が少ないという点において、本発明の繊維の独特の特性と一致する。
【００９５】
本発明の実施形態における前述の開示は、例示および説明のために提示されている。それは、本発明を出しつくし、または開示した形態に寸分違わず限定することを意図するものではない。本明細書に記載する実施形態の、多くの変形形態および改変が、上記の開示に鑑み、当業者には明白であろう。本発明の範囲は、本明細書に付属する特許請求の範囲によって、また、それらと同等のものによってのみ画定されるべきである。
【図面の簡単な説明】
【図１】  本発明の方法によってポリ（トリメチレンテレフタレート）繊維から製造されたステープルファイバの横断面形状を示す拡大写真である。
【図２】  本発明の方法によってポリ（トリメチレンテレフタレート）繊維から製造されたスパンヤーンＡの横断面形状を示す拡大写真である。
【図３】  本発明の方法によってポリ（トリメチレンテレフタレート）繊維から製造されたスパンヤーンＢの横断面形状を示す拡大写真である。
【図４】  本発明の方法によってポリ（トリメチレンテレフタレート）繊維から製造されたスパンヤーンＣの横断面形状を示す拡大写真である。
【図１】
0004832709.tif 000010
【図２】
0004832709.tif 000011
【図３】
0004832709.tif 000012
【図４】
0004832709.tif 000013